(57)【要約】【課題】  オーガンジー調の薄手の編織物であっても、皴や折り目も生じず、使用される所定の製品サイズとして梱包すると共に、また、購入者の使い勝手のよいクロス梱包体を提供することである。【解決手段】  カーテン等のクロス製品を梱包する際に、予め定められた寸法に裁断され製品化された商品５を、１単位毎に芯体７に巻き付けたロール状とし、円筒蓋３付きの円筒ケース２に収納する構成のクロス梱包体１とした。【選択図】    図１
0003117200.tif 000002
【実用新案登録請求の範囲】
【請求項１】
カーテン等のクロス製品を梱包する際に、予め定められた寸法に裁断され製品化された商品を、１単位毎に芯体に巻き付けたロール状とし、円筒蓋付きの円筒ケースに収納することを特徴とするクロス梱包体。
【請求項２】
前記円筒ケースの任意の場所に、収納されている前記商品を外から確認可能な透視窓を設けたことを特徴とする請求項１に記載のクロス梱包体。
【請求項３】
前記商品が、皴や折り目を嫌うオーガンジー調の薄い編織物であることを特徴とする請求項１または２に記載のクロス梱包体。
【請求項４】
前記芯体が廃棄容易な紙管製の芯体であると共に、その表面にエンボス加工もしくはフロッキング加工を施して滑りにくくしていることを特徴とする請求項１から３のいずれかに記載のクロス梱包体。
【請求項５】
前記円筒蓋に所定数量のカーテン吊り具等の関連部品を収納する収納庫を設けていることを特徴とする請求項１から４のいずれかに記載のクロス梱包体。
【考案の詳細な説明】
【技術分野】
【０００１】  本考案は、商品の梱包体に係り、特にそのサイズが所定サイズに予め規定されていると共に、皴や折り目があれば商品価値が低下するクロス製品を梱包する際のクロス梱包体に関するものである。
【背景技術】
【０００２】  従来、カーテン等のクロス製品を梱包して搬送する際には、長尺な商品をロール状に巻回した梱包体とするか、もしくは、厚板状の芯体に巻き付けて、楕円状に梱包して搬送している。【０００３】  そのために、店頭で、顧客の要望に応じた寸法に裁断して、所定サイズに切断した商品を紙袋等に収容して販売している。【０００４】  また、特にカーテン等では、そのサイズが、窓のサイズに応じて予め定められた数種類に規定されているので、カーテンとカーテンレールとフック手段とを単一の収納手段に収納してユニット化したカーテンユニットが既に出願されている。（例えば、特許文献１参照）。
【特許文献１】  登録実用新案第３０２５０６３号公報（第１−５頁、第１図）
【考案の開示】
【考案が解決しようとする課題】
【０００５】  一般にカーテン等は、その寸法が予め規定されており、窓の大きさに対応した複数種類の材寸となっている。そのために、予め所定サイズに形成されたカーテン地を、皴や折り目を付けずに梱包しておくことが好ましい。【０００６】  厚手のカーテン地であれば、折り畳んだ状態で箱内に収納しても、皴や折り目は生じない。しかし、オーガンジー調の薄手の編織物は、皴や折り目が生じ易く、さらに注意して梱包することが望まれる。【０００７】  また、カーテン地では高級品になるほど、薄手であり、しかも風情のある模様がプリントされていて、一旦皴や折り目が生じるとその商品価値が低下してしまうという問題がある。【０００８】  本考案の目的は、上記問題点に鑑み、オーガンジー調の薄手の編織物であっても、皴や折り目も生じず、使用される所定の製品サイズとして梱包すると共に、また、購入者の使い勝手のよいクロス梱包体を提供することである。
【課題を解決するための手段】
【０００９】  上記の目的を達成するために請求項１に係る考案は、カーテン等のクロス製品を梱包する際に、予め定められた寸法に裁断され製品化された商品を、１単位毎に芯体に巻き付けたロール状とし、円筒蓋付きの円筒ケースに収納することを特徴としている。【００１０】  上記の構成を有する請求項１に係る考案によれば、カーテン等のクロス製品をロール状とすると共に使用するサイズの１単位毎に収納するので、皴や折り目も生じず、使用するサイズに間違いなく適応したカーテン等を選択可能なクロス梱包体とすることができる。【００１１】  請求項２に係る考案は、前記円筒ケースの任意の場所に、収納されている前記商品を確認可能な透視窓を設けたことを特徴としている。【００１２】  上記の構成を有する請求項２に係る考案によれば、梱包された商品の色や柄を間違いなく確認することができる。【００１３】  請求項３に係る考案は、前記商品が、皴や折り目を嫌うオーガンジー調の薄い編織物であることを特徴としている。【００１４】  上記の構成を有する請求項３に係る考案によれば、皴や折り目も生じ易い薄い編織物であっても、皴や折り目も生じない梱包体とすることができる。【００１５】  請求項４に係る考案は、前記芯体が廃棄容易な紙管製の芯体であると共に、その表面にエンボス加工もしくはフロッキング加工を施して滑りにくくしていることを特徴としている。【００１６】  上記の構成を有する請求項４に係る考案によれば、カーテン等のクロス製品が滑りやすい材質であっても、エンボス加工が施されて細かい凹凸面を備えた芯体や短い繊維を植毛するフロッキング加工が施されて滑りにくい表面であるので、滑りを生じずに確実に巻き付けることができる。さらには、芯体が紙製であるので、使用後にはそのまま廃棄することができる。【００１７】  請求項５に係る考案は、前記円筒蓋に所定数量のカーテン吊り具等の関連部品を収納する収納庫を設けていることを特徴としている。【００１８】  上記の構成を有する請求項５に係る考案によれば、カーテンを実際に使用する際に必要な部品を同時に梱包しておくので、購入者の利便性が向上する。
【考案の効果】
【００１９】  本考案によれば、カーテン等のクロス製品を、予め定められた寸法にしておくと共に、１単位毎に芯体に巻き付けたロール状として円筒ケースに収納する構成としたので、皴や折り目を生じない梱包体とすることができる。そのために、皴や折り目が生じると商品価値が大きく低下するオーガンジー調の薄い編織物にたいしても有効なクロス梱包体を得ることができる。
【考案を実施するための最良の形態】
【００２０】  以下、本考案に係るクロス梱包体の実施の形態について、図１および図２に基づいて詳細に説明する。【００２１】  図１は本考案に係るクロス梱包体の一例を示しており、（ａ）は概略全体図であり、（ｂ）は蓋を外したところを示している。図２には梱包する商品の一例を示しており、（ａ）は梱包前の広げたカーテンを示し、（ｂ）はロール状としたカーテンを示している。【００２２】  図１（ａ）に示すように本考案に係るクロス梱包体１は、円筒ケース２と円筒蓋３を備えており、前記円筒ケース２内にロール状に丸められた商品５が収納されている。【００２３】  また、前記円筒ケース２の任意の場所に、収納されている前記商品５を確認可能な透視窓４が設けられている。前記透視窓４は所定形状の開口部に透明もしくは半透明のフィルムや樹脂板を装着した構成とすればよい。特に日光などによって劣化する商品を収納する場合は、有害な光線を効果的に遮蔽する所定の樹脂版を装着することが望ましい。また、実線に示す矩形の窓ではなく、円形でも楕円形でも、また、想像線に示す星型のような透視窓４Ａでもよく、特にその形状を限定するものではない。【００２４】  図１（ｂ）に示すように、円筒蓋３は、円筒ケース２の段部２Ａに嵌め込まれる凹部３Ａと空隙部３Ｂとを備えている。前記凹部３Ａと前記空隙部３Ｂとは薄い隔離紙３Ｄで仕切られており、該隔離紙３Ｄと蓋３Ｃとの間の空隙部３Ｂに、カーテン吊り具等の関連部品６が収納されている。【００２５】  そのために、前記空隙部３Ｂはカーテン吊り具等の関連部品６を収納する収納庫となって、円筒蓋３を円筒ケース２から分離した後で、薄い隔離紙３Ｄを指で破れば、収納されている関連部品６を容易に取り出すことができる。【００２６】  商品５としてカーテンを収納する場合には、関連部品６として所定数量のカーテン吊り具を収納する構成である。このような構成であれば、カーテンを実際に使用する際に必要な部品を同時に梱包しておくので、購入者の利便性が向上する。【００２７】  図２（ａ）に示すカーテンＫは、例えば皴や折り目を嫌うオーガンジー調の薄い編織物からなるカーテンである。そのために、従来のように、折り畳んでしまうと、すぐに皴や折り目が生じてしまい商品価値が低下する。特に、その表面に意匠性に優れた文様や絵柄がプリントされていたり刺繍されている高級品では、皴や折り目が生じるだけで商品価値は大きく低下するので、売り手にとっては大きな損失となる。【００２８】  そのために、本実施の形態においては、図２（ｂ）に示すように、芯体７に巻き付けてロール状として梱包する構成とした。前記芯体７は紙製のロールであって、使用後にはそのまま廃棄したり焼却しても、環境を汚染しないよう考慮されている。【００２９】  前記芯体７にはその表面にエンボス加工やフロッキング加工を施しておくことが好ましい。これは、カーテン等のクロス製品が滑りやすい材質であっても、エンボス加工が施されて細かい凹凸面を備えた芯体であれば、滑りを生じずに確実に巻き付けることができるからである。もちろんその凹凸面は、巻き付けるカーテン等の商品を傷付けない程度の凹凸であることが好ましい。また、表面全体に短い繊維を植毛する公知のフロッ���ング加工を施すことでも、滑りにくい表面とすることができる。【００３０】  前記商品５がカーテンＫであれば、その大きさは窓や戸扉に応じて予め規定されるサイズとなっているので、その単品毎のサイズに応じた梱包体１としておくのが好ましい。しかも、梱包体１の中に収納されているカーテンＫの種類や文様が簡単に確認可能な構成であれば、自分の気に入るカーテンＫを間違いなく選択して購入することができ、さらに好適である。【００３１】  しかも、単品毎に梱包されておれば、必要なサイズで所定の文様のカーテンＫを選定して贈答品として送ることも容易となる。また、送られた方も、梱包体を包装している包装紙をほどくだけで、外部から中身を確認することができるので、今すぐ使用する予定がなければ、梱包体のまま保存しおいてもよい。しばらくして季節が変わり必要な時がきたら、使用したい文様のカーテンＫを取り出して使用することもできる。【００３２】  上記したように本考案によれば、カーテン等のクロス製品を、予め定められた寸法にしておくと共に、１単位毎に芯体に巻き付けたロール状として円筒ケースに収納する構成としたので、皴や折り目が生じず、使用勝手のよい梱包体とすることができる。またそのために、皴や折り目が生じると商品価値が大きく低下するオーガンジー調の薄い編織物にたいしても有効なクロス梱包体とすることができる。
【図面の簡単な説明】
【００３３】
【図１】  本考案に係るクロス梱包体の一例を示しており、（ａ）は概略全体図であり、（ｂ）は蓋を外したところを示している。
【図２】  梱包する商品の一例を示しており、（ａ）は梱包前の広げたカーテンを示し、（ｂ）はロール状としたカーテンを示している。
【符号の説明】
【００３４】１  クロス梱包体
２  円筒ケース
３  円筒蓋
３Ｂ  空隙部（収納庫）
４  透視窓
５  商品
６  関連部品
７  芯体
Ｋ  カーテン
【図１】
0003117200.tif 000003
【図２】
0003117200.tif 000004